(57)【要約】【課題】電子文書を複数のグループで電子ペンにより使い分けて共有するとともに、付箋アイコンに関連付けられるメッセージを電子ペン毎に異ならせる場合に、端末本体側の設定の複雑化を防止する。【解決手段】情報端末装置１は、端末本体１０と、付箋画像の種別を示す付箋種別情報毎にメッセージが関連付けられた付箋管理テーブル５９を記憶する電子ペン５０とを有する。端末本体１０は、画像を表示する表示体と、電子ペンから付箋管理テーブル５９を取得する端末通信部２０と、当該付箋管理テーブルを保存する管理テーブル保存部１８２と、タブレット２８と、付箋画像を電子的に貼り付ける旨が電子ペンによって指示されたときに、管理テーブル保存部１８２に保存された付箋管理テーブルから、付箋種別情報毎に関連付けられたメッセージを読み出し、表示体に表示させる制御部１２４と、を具備する。【選択図】図２
2011028621.tif 000002
【特許請求の範囲】
【請求項１】
端末本体と、付箋画像の種別を示す付箋種別情報毎にメッセージが関連付けられた付箋管理テーブルを記憶する電子ペンと、を有し、
前記端末本体は、
画像を表示する表示体と、
前記電子ペンから前記付箋管理テーブルを取得する端末通信部と、
取得された付箋管理テーブルを保存する管理テーブル保存部と、
前記電子ペンにより操作されるタブレットと、
前記表示体に前記付箋画像を電子的に貼り付ける旨が前記電子ペンによって前記タブレットに指示されたときに、前記管理テーブル保存部に保存された付箋管理テーブルから、前記付箋種別情報毎に関連付けられたメッセージを読み出し、前記表示体に表示させる制御部と、
を具備することを特徴とする情報端末装置。
【請求項２】
前記端末本体は、前記付箋種別情報毎に付箋画像を記憶するアイコンテーブルを有し、
前記制御部は、前記管理テーブル保存部に保存された付箋管理テーブルの付箋種別情報に対応する付箋画像を前記アイコンテーブルから読み出し、前記付箋種別情報毎の前記付箋画像とメッセージとを組にして、前記表示体に表示させる
ことを特徴とする請求項１に記載の情報端末装置。
【請求項３】
前記端末通信部は、前記電子ペンから、前記付箋管理テーブルに固有の識別情報も取得し、
前記制御部は、
前記表示体に前記付箋画像を電子的に貼り付ける旨が前記電子ペンによって前記タブレットに指示されたときに、前記管理テーブル保存部に保存された付箋管理テーブルから、前記表示体に前記付箋画像を貼り付ける旨とともに、貼り付けるべき付箋画像の種別および貼り付けるべき位置が、前記電子ペンによって前記タブレットに指示されたとき、前記表示体に対し、指示された種別の付箋画像を指示された位置に表示させる一方、
前記端末通信部によって取得された識別情報と、表示させた付箋画像の種別情報と、前記付箋画像の表示座標とを関連付けて座標管理テーブルに記録する
ことを特徴とする請求項２に記載の情報端末装置。
【請求項４】
前記制御部は、
前記表示体に表示させた付箋画像を前記電子ペンによって指定された場合に、前記座標管理テーブルから、当該指定された付箋画像に対応する識別情報を特定し、
前記端末通信部によって取得された識別情報が前記座標管理テーブルから特定した識別情報に一致するか否かを判別する
ことを特徴とする請求項３に記載の情報端末装置。
【請求項５】
前記制御部は、
前記取得された識別情報が前記特定した識別情報に一致していないと判別した場合、その不一致に対応するメッセージを前記表示体に表示させる
ことを特徴とする請求項４に記載の情報端末装置。
【請求項６】
前記制御部は、
前記取得された識別情報が前記特定した識別情報に一致していると判別した場合、指定された付箋画像に関連付けられたメッセージを前記表示体に表示させる
ことを特徴とする請求項４に記載の情報端末装置。
【発明の詳細な説明】
【技術分野】
【０００１】
本発明は、例えば表示体に表示された電子文書に対し、電子ペンによって付箋画像を電子的に貼り付ける情報端末装置に関する。
【背景技術】
【０００２】
液晶ディスプレイや電子ペーパーなどの表示体にタブレットの入力面を重ねて配置して、電子ペンによる入力操作を可能とする情報端末装置が知られている。このような情報端末装置を複数のユーザーで共有して使用する場合に、電子ペンから出力された識別情報が端末本体側で登録された識別情報と一致したときに、登録された識別情報に付加されている情報を表示体に表示させる技術が知られている（特許文献１参照）。
【先行技術文献】
【特許文献】
【０００３】
【特許文献１】特開平８−３２８７３６号公報（図１、段落００１２、００１３参照）
【発明の概要】
【発明が解決しようとする課題】
【０００４】
しかしながら、上記技術では、状況次第で端末本体の設定が非常に煩雑となる、という問題が指摘された。
本発明は、上述した事情に鑑みてなされたもので、その目的の一つは、端末本体の設定が煩雑となるのを防止する技術を提供することにある。
【課題を解決するための手段】
【０００５】
上記目的を達成するために、本発明に係る情報端末装置にあっては、端末本体と、付箋画像の種別を示す付箋種別情報毎にメッセージが関連付けられた付箋管理テーブルを記憶する電子ペンと、を有し、前記端末本体は、画像を表示する表示体と、前記電子ペンから前記付箋管理テーブルを取得する端末通信部と、取得された付箋管理テーブルを保存する管理テーブル保存部と、前記電子ペンにより操作されるタブレットと、前記表示体に前記付箋画像を電子的に貼り付ける旨が前記電子ペンによって前記タブレットに指示されたときに、前記管理テーブル保存部に保存された付箋管理テーブルから、前記付箋種別情報毎に関連付けられたメッセージを読み出し、前記表示体に表示させる制御部と、を具備することを特徴とする。本発明によれば、付箋種別情報毎に関連付けられたメッセージが電子ペンから取得されるとともに、電子ペンによって付箋画像を表示体に電子的に貼り付ける旨が指示されたときに、これらのメッセージが表示体に表示される。したがって、端末本体側では、付箋種別情報毎に関連付けられたメッセージの対応関係について、事前に記憶する必要がないので、端末本体の設定が大幅に簡略化することが可能となる。また、電子ペン毎にメッセージが異なっていても、ユーザーは、用いる電子ペンに関連付けられるメッセージを覚える必要もない。
【図面の簡単な説明】
【０００６】
【図１】実施形態に係る情報端末装置のハードウェアの構成を示す図である。
【図２】情報端末装置における機能の構成を示すブロック図である。
【図３】電子ペンに記憶される付箋管理テーブルの一例を示す図である。
【図４】端末本体に記憶されるアイコンテーブルの一例を示す図である。
【図５】端末本体の画面表示例を示す図である。
【図６】端末本体に記憶される座標管理テーブルの一例を示す図である。
【図７】情報端末装置の動作を示すフローチャートである。
【図８】情報端末装置の動作を示すフローチャートである。
【図９】付箋貼り付け動作における画面一部の表示例を示す図である。
【図１０】付箋貼り付け動作における画面一部の表示例を示す図である。
【図１１】付箋貼り付け動作における画面一部の表示例を示す図である。
【図１２】付箋確認動作における画面一部の表示例を示す図である。
【発明を実施するための形態】
【０００７】
以下、図面を参照して本発明の実施形態について説明する。
本実施形態に係る情報端末装置は、概略すると、端末本体側で表示された電子文書に、付箋紙に相当する付箋アイコンを電子ペンの操作によって電子的に貼り付けるものを前提としている。なお、本説明において付箋アイコンを（電子的に）貼り付けるとは、付箋アイコンを接着剤等により物理的に貼り付けることではなく、付箋アイコンに相当する画像を、表示体２４による電子文書にあたかも貼り付けたかのように表示させることをいう。
【０００８】
付箋アイコンは、複数の種別が存在し、種別毎に注釈のようなメッセージが関連付けられている。このため、電子文書に貼り付けられた付箋アイコンを電子ペンによって指定すると、その付箋アイコンに関連付けられたメッセージが例えばポップアップ表示される。これにより、あるユーザーが電子文書に付箋アイコンを貼り付けたときに、後日、別のユーザーがその意味を確認したりすることなどが可能となる。
【０００９】
このような構成において、電子文書を複数のグループで電子ペンにより使い分けて共有するとともに、共有する電子文書に対して、グループ毎に付箋アイコンに関連付けられるメッセージを電子ペン毎に異ならせたい、という要望がある。例えば、「！」という付箋アイコンは、あるグループでは「必ず、確認してください」という意味で使いたい、という一方で、別のグループでは「調整が必要です」という違う意味で使いたい、という場合などである。
このとき、各グループでは、付箋アイコンとその意味内容とを事前に共通の認識とさせる必要があるだけでなく、端末本体側の設定が複雑化する、という問題が懸念された。
本実施形態に係る情報端末装置は、この問題の発生を少しでも抑えるためになされたものである。
【００１０】
図１は、実施形態に係る情報端末装置のハードウェアの構成を示す図である。
この図に示されるように、情報端末装置１は、端末本体１０と電子ペン５０とを備え、このうち、端末本体１０は、ＣＰＵ１２、ＲＯＭ１４、ＲＡＭ１６、端末記憶部１８、端末通信部２０、表示体制御部２２、表示体２４、タブレット制御部２６、タブレット２８、電源制御部３０およびバッテリー３２を含む。
ＣＰＵ１２は、バスを介して各部を制御するものであり、特に本実施形態にあっては後述する付箋貼り付け・確認プログラムを実行することによって、電子ペン５０の入力操作に応じて表示内容となるように制御、指示する。ＲＯＭ１４は、ＢＩＯＳ（basic input output system）などを記憶し、ＲＡＭ１６は、ＣＰＵ１２がプログラムを実行する際に一時的に発生するデータ等を記憶する。
【００１１】
端末記憶部１８は、フラッシュメモリー等の不揮発性メモリーであり、上記付箋貼り付け・確認プログラムや、後述するアイコンテーブル、座標管理テーブル、付箋アイコンの画像データなど記憶する。端末通信部２０は、電子ペン５０と各種データの送信および受信を制御するものである。表示体制御部２２は、表示体２４に対する描画をＣＰＵ１２の指示にしたがって制御するものである。なお、表示体２４は、液晶や電子ペーパーなどのような表示デバイスである。
電源制御部３０は、端末本体１０における電源のオンオフ制御や、充電可能なバッテリー３２の残量管理などを行うものである。
【００１２】
タブレット２８の入力面（電子ペン５０によって操作される面）は、透明性を有し、表示体２４の表示面よりも観察側に重ねて配置される。このため、表示体２４によって表示された画面を電子ペン５０によってタップ（軽く突く）したり、なぞたったりすることによって各種の入力操作が可能となっている。
タブレット制御部２６は、タブレット２８の検出信号から、電子ペン５０で指定された位置に相当するｘ、ｙ座標を生成して、ＣＰＵ１２に出力するものである。
【００１３】
なお、本実施形態においてタブレット２８は、例えば電磁誘導方式によって電子ペン５０で指定された座標を検出する。タブレットによる座標検出は、本発明の特徴部分ではないので、詳細については省略するが、タブレット２８には、その入力面にループ型のセンサーコイルがｘ座標検出用とｙ座標検出用とそれぞれ複数設けられる一方、電子ペン５０は、そのペン先の鉄心にコイル５５が巻線されるとともに、コイルにコンデンサー（図示省略）が接続された構成となっている。この構成において、センサーコイルに交流電流を流すと、入力面に磁界が発生し、電子ペン５０の先端が存在していれば、発生磁界に反応してペン側のコイル５５に誘導電流が流れ、コンデンサーに電荷が蓄積される。ここで、ループ型センサーコイルに交流電流を流すのを停止させると、コンデンサーに蓄積された電荷がペン側のコイルに電流が流れ、これにより磁界が発生し、ペンの先端付近に位置するセンサーコイルに誘導電流が流れる。この誘導電流が流れるセンサーコイルをｘ座標系とｙ座標系とで特定するとともに、この特定動作を、例えば１秒間に複数回繰り返すことによって、タブレット制御部２６は、タブレット２８の入力面に電子ペンの先端が位置しているか否かを、さらに位置している場合には、そのｘ、ｙ座標を求めることができる。
もっともタブレットとしては、電子ペン５０の座標を検出できるものであれば、電磁誘導方式以外のものであっても良い。
【００１４】
一方、電子ペン５０は、コイル５５、付箋管理テーブル５９、ペン通信部６０を含む。付箋管理テーブル５９は、不揮発性メモリーに記憶されたものであり、詳細については後述する。また、ペン通信部６０は、端末通信部２０と各種データなどを送信および受信するものである。
本実施形態において、電子ペンとして複数の種類が用意され、ユーザーのグループ毎に異なるものが使用される。このため、本実施形態では、電子ペンとして２種類のものを用意するとともに、電子ペンを区別して説明する場合には、その符号を例えば５０ａ、５０ｂとする。なお、電子ペン５０ａ、５０ｂでは、付箋管理テーブル５９の内容が互いに異なっている。このため、電子ペンを識別するために電子ペンに付される識別情報は、付箋管理テーブルの固有のものとなる。
一方、電子ペンを特に区別しないで説明する場合には、その符号を単に５０とする。
【００１５】
このようなハードウェア構成において、付箋貼り付け・確認プログラムを実行したときに端末本体１０において構築される機能ブロックについて説明する。図２は、この機能ブロックを示す図である。
この図において、端末本体１０のうち、制御部１２４は、それぞれ図１におけるＣＰＵ１２が上記プログラムを実行することによって構築される機能ブロックである。タブレット検出部２６２および座標出力部２６４は、図１におけるタブレット制御部２６を機能別に分けたものである。
なお、管理テーブル保存部１８２は、端末記憶部１８に割り当てられる記憶領域であり、アイコンテーブル１８４および座標管理テーブル１８６は、端末記憶部１８において記憶されるテーブルを内容毎に分けたものである。
【００１６】
次に、電子ペンで記憶される付箋管理テーブル５９について説明する。
図３（ａ）は、電子ペン５０ａの付箋管理テーブルの一例を示す図であり、付箋種別情報の「１」〜「３」毎に付箋の意味内容を示すメッセージが関連付けられるとともに、その付箋管理テーブルを記憶する電子ペン５０ａであることを示す識別情報「Ａ」を付したものとなっている。図３（ｂ）は、電子ペン５０ｂの付箋管理テーブルの一例を示す図であり、同様に付箋種別情報の「１」〜「３」毎にメッセージが関連付けられるとともに、
その付箋管理テーブルを記憶する電子ペン５０ｂであることを示す識別情報「Ｂ」を付したものとなっている。
これらの図に示されるように、本実施形態では、付箋種別情報の「１」〜「３」に対応するメッセージが電子ペン５０ａと電子ペン５０ｂとでは互いに異なっている。なお、図３（ａ）および図３（ｂ）では、メッセージが付箋種別情報の「１」〜「３」のすべてにわたって互いに異ならせているが、一部のみ異なっていても良い。
【００１７】
続いて、端末本体１０に記憶されるアイコンテーブル１８４および座標管理テーブル１８６について説明する。図４は、アイコンテーブル１８４の一例を示す図であり、付箋種別情報の「１」〜「３」毎に付箋アイコンを示す画像データが対応付けられて記憶されている。
【００１８】
図５は、実施形態に係る情報端末装置１において、表示体２４による表示画面の一例を示す図である。この図に示されるように、例えば付箋アイコン（ａ）〜（ｅ）が電子文書に表示されている。なお、図５は、複数のユーザーによって入力されたテキストを表示した例であり、入力した電子ペン毎にテキストのフォントを異ならせて、テキストを入力した電子ペン（グループ）が区別できるようにした例である。また、図５における表示体２４の表示枠外の数字は、説明のためにｘ、ｙ座標の例を目安として示すものに過ぎない。
図６は、図５の表示例であるときの座標管理テーブル１８６を示す図であり、付箋アイコンが表示体２４に電子的に貼り付けられた座標（貼り付け座標）と、その付箋アイコンの種別を示す付箋種別情報と、その付箋アイコンの貼り付けを指示した電子ペンの識別情報（ペン識別情報）とを、互いに関連付けて記録したものとなっている。
なお、図５のようなテキストの表示の処理については、本発明と直接関係しないので、その説明を省略する。また、図６のような座標管理テーブルの作成（データの記録）については、後述する。
【００１９】
続いて、端末本体１０において付箋貼り付け・確認プログラムを実行したときの動作について説明する。なお、この付箋貼り付け・確認プログラムを実行する際には、他のプログラムによって、図５に示されるように、すでに電子文書が表示体２４に表示されている状態を前提とする。
【００２０】
図７および図８は、その動作を示すフローチャートである。
まず、制御部１２４は、ステップＳ１において、電子ペン５０の先端がタブレット２８の入力面にタップされたか（軽く突かれたか）否かを判別する。電子ペン５０がタップされると、タブレット検出部２６２がタブレットの入力面においてタップされた座標を出力し、座標出力部２６４が、タップされた座標を表示体２４の表示座標に変換して、制御部１２４に供給する。このため、制御部１２４は、座標出力部２６４から座標が供給されればタップありと判別し、変換座標が供給されなければタップなしと判別する。
タップなしと判別したとき、制御部１２４は、処理手順を再びステップＳ１に戻す。このため、タップがなければ、処理手順がステップＳ１を循環し続けるので、以降の処理は実行されない。一方、タップありと判別したとき、制御部１２４は、ステップＳ２において、タップされた座標を座標出力部２６４から取得する。
【００２１】
次に、制御部１２４は、ステップＳ３において、ありと判別したタップが付箋アイコンを電子文書に新規に貼り付ける操作の指示であったか否かを判別する。
詳細には、制御部１２４は、第１に、予め表示体２４による表示画面の例えば上辺に図９に示されるようなメニューボタン１０２と、その意味を示すタイトルバー１０４とを表示させておく。第２に、制御部１２４は、ありと判別したタップの変換座標がメニューボタン１０２の表示座標領域に含まれていれば、タップが付箋アイコンを貼り付ける操作の指示であったと判別して、手順をステップＳ４に移行させる一方、表示座標領域に含まれていなければ、当該タップが付箋アイコンを貼り付ける操作の指示ではなかったと判別して、手順をステップＳ１２にスキップさせる。
【００２２】
タップが付箋アイコンを貼り付ける操作の指示であったと判別したとき、制御部１２４は、ステップＳ４において、そのタップをした電子ペンから付箋管理テーブル５９を取得し、管理テーブル保存部１８２に保存させる。詳細には、制御部１２４は、例えば第１に、端末通信部２０に対してテーブル要求命令を送出させ、第２に、このテーブル要求命令を受信したペン通信部６０が、付箋管理テーブル５９を読み出して、当該付箋管理テーブルを端末通信部２０に返信し、第３に、制御部１２４は、付箋管理テーブルの返信を受けた端末通信部２０に対して、その付箋管理テーブルを管理テーブル保存部１８２に保存させる。
【００２３】
続くステップＳ５〜Ｓ７において、制御部１２４は、メニュー画像表示処理を実行する。詳細には、制御部１２４は、ステップＳ５において、アイコンテーブル１８４（図４参照）から、付箋種別情報「１」〜「３」にそれぞれ対応する付箋アイコンを特定して、その付箋アイコンの画像データをそれぞれ読み出す。
制御部１２４は、ステップＳ６において、管理テーブル保存部１８２に保存された付箋管理テーブルから、付箋種別情報「１」〜「３」にそれぞれ対応するメッセージを読み出す。
そして、制御部１２４は、ステップＳ７において、次のようなメニュー画像を生成して、表示体制御部２２に渡す。すなわち、制御部１２４は、付箋種別情報「１」に対応する付箋アイコンとメッセージとを１行目に、付箋種別情報「２」に対応する付箋アイコンとメッセージとを２行目に、付箋種別情報「３」に対応する付箋アイコンとメッセージとを３行目に、それぞれ配置させたリストを、タイトルバー１０４からプルダウンさせたメニュー画像を生成する。
なお、制御部１２４が生成したメニュー画像を表示体制御部２２に渡すと、表示体制御部２２は、表示体２４を制御して当該メニュー画像を描画させる。これにより、実際に表示体２４にメニュー画像が表示されることになる。
【００２４】
図１０（ａ）は、このような画像の一例を示す図であり、メニューボタン１０２が電子ペン５０ａによってタップされた場合を示している。
電子ペン５０ａの付箋管理テーブルが図３（ａ）に示される内容であって、アイコンテーブルが図４に示される内容であるとすると、メニュー画像１０６は、図１０（ａ）に示されるように、その１行目が、付箋種別情報「１」に対応する付箋アイコンと「必ず、確認して下さい」というメッセージになる。同様に、メニュー画像１０６の２行目は、付箋種別情報「２」に対応する付箋アイコンと「回答をお願いします」というメッセージになり、３行目は、付箋種別情報「３」に対応する付箋アイコンと「記入して下さい」というメッセージになる。
一方、メニューボタン１０２が電子ペン５０ａではなく、電子ペン５０ｂによってタップされた場合、メニュー画像１０６における付箋種別情報「１」〜「３」のメッセージは、図１１に示されるように、電子ペン５０ｂの付箋管理テーブルの内容（図３（ｂ）参照）となる。
【００２５】
さて、表示体２４にメニュー画像を表示させた後、制御部１２４は、ステップＳ８において、当該メニュー画像に対して付箋アイコン（またはメッセージ）を選択する操作がなされたか否かを判別する。例えば、制御部１２４は、表示体２４に表示されたメニュー画像に対して、１、２、３行目のいずれかの領域がタップされたか否かを判別する。このとき、制御部１２４は、座標出力部２６４から変換座標が出力された場合に、変換座標が当該１、２、３行目のいずれかの領域である否かを判別すれば良い。
制御部１２４は、付箋アイコンを選択する操作がなされていないと判別したとき、処理手順を再びステップＳ８に戻す。このため、メニュー画像１０６を表示させたときに、付箋アイコンを選択する操作がなされないと、処理手順がステップＳ８で待機することになる。
一方、付箋アイコンを選択する操作がなさると、処理手順がステップＳ９に移行する。制御部１２４は、ステップＳ９において、選択された付箋アイコンを特定する。例えば、図１０（ｂ）に示されるように、メニュー画像１０６に対して１行目の領域がタップされたのであれば、制御部１２４は、付箋種別情報が「１」に対応する付箋アイコンが選択されたと判別する。
【００２６】
次に、制御部１２４は、ステップＳ１０において、選択された付箋アイコンを貼り付けるべき位置が電子ペンによって指定された否かを判別する。具体的には、制御部１２４は、座標出力部２６４から変換座標が出力された否かを判別する。制御部１２４は、貼り付ける位置が指定されるまで、ステップＳ１０を繰り返す一方、位置が指定されると、処理手順をステップＳ１１に進めて、座標管理テーブル１８６に記録する処理と、付箋アイコンを表示体２４に追加表示させる処理とを実行する。
詳細には、制御部１２４は、ステップＳ１１において、管理テーブル保存部１８２に記憶されているペン識別情報と、選択された付箋アイコンの種別情報と、指定された座標との１組を座標管理テーブル１８６に追加記録する。なお、このペン識別情報は、ステップＳ１においてタップした電子ペンから取得したものであるから、付箋アイコンの選択、貼り付けを指示した電子ペンを意味することになる。
また、制御部１２４は、指定された付箋種別情報に対応する付箋アイコンの画像データを表示体制御部２２に渡して、指定された座標に、既存の表示に上書きするように（または異なるレイヤーで描画するように）指示する。これにより、表示体２４には、指示通りに当該付箋アイコンが表示されることになる。
制御部１２４は、ステップＳ１１の終了後、次のタップに備えて処理手順をステップＳ１に戻す。
【００２７】
ステップＳ１〜Ｓ７では、付箋アイコンを貼り付ける旨のタップがなされたときに、そのタップを実行した電子ペンから付箋管理テーブルを取得して、付箋種別情報のそれぞれに関連付けられるメッセージを表示させるので、端末本体１０側では、付箋画像とそのメッセージとの対応関係を記憶する必要がない。このため、複数の電子ペンを用いる場合であっても、付箋画像とメッセージとの対応関係を電子ペン毎に（または識別情報毎に）設定する必要がなくなるので、その分、端末本体の設定が煩雑となるのを防止することが可能となる。
【００２８】
また、本実施形態では、付箋画像そのものは、端末本体１０側のアイコンテーブル１８４で記憶するとともに、電子ペンから取得した付箋管理テーブルのうち付箋種別情報に対応するものを、アイコンテーブルから読み出して表示させる構成となっている。このため、付箋管理テーブルでは画像情報を記憶する必要がないので、電子ペンの記憶容量や、電子ペンから端末本体に送信するデータ量が少なくても済む。
一方で、付箋アイコンを貼り付ける旨のタップがなされたときに、付箋種別情報毎の付箋画像とメッセージとが組にして表示されるので、ユーザーは、使用する電子ペンで関連付けられるメッセージや、付箋画像との対応関係を覚えておかなくて済むことになる。
【００２９】
さらに、付箋アイコンを貼り付ける旨のタップがなされて、さらに付箋アイコンの種別と、貼り付け位置とが指示されたときに、表示体に対し、指定通りの付箋アイコンが表示される一方で、操作に係る電子ペン（付箋管理テーブル）の識別情報と、当該付箋アイコンの付箋種別情報と、貼り付け座標とが関連付けられて座標管理テーブルに記録される。このため、貼り付けられた付箋画像がタップ等されたときに、この座標管理テーブルを参照することにより、どの電子ペンによって貼り付けられたかなどの情報を得て、その情報に応じた処理が可能となる。
この処理は、具体的には、ステップＳ１２〜Ｓ２１であり、特にステップＳ１９、Ｓ２１である。
【００３０】
そこで次に、ステップＳ１２以降の処理について説明する。
制御部１２４は、ステップＳ３においてタップが付箋アイコンを貼り付ける操作の指示ではなかったと判別した場合に、手順をステップＳ１２に分岐させて、当該タップがすでに貼り付けられた付箋アイコンへのタップであったか否かを判別する。詳細には、制御部１２４は、ありと判別したタップの変換座標が、座標管理テーブル１８６（図６参照）に記録されている座標（アイコン領域内の座標）のいずれかに含まれているか否かを判別する。
この判別結果が「Ｎｏ」であれば、それは、ステップＳ１において、あり判別したタップが付箋アイコンを貼り付ける操作の指示ではなく、すでに電子的に貼り付けられた付箋アイコンへのタップでもない、ということを意味する。このため、制御部１２４は、ステップＳ２０において、そのタップに応じたその他の処理を実行して、処理手順をステップＳ１に戻す。
一方、ステップＳ１２の判別結果が「Ｙｅｓ」であれば、制御部１２４は、ステップＳ１３において、上述したステップＳ４と同様に、付箋アイコンをタップした電子ペンから付箋管理テーブル５９を取得し、管理テーブル保存部１８２に保存させる。
【００３１】
次に、制御部１２４は、ステップＳ１４において、管理テーブル保存部１８２に保存させた付箋管理テーブルからペン種別情報を取得する。
また、制御部１２４は、ステップＳ１５において、座標管理テーブル１８６の記録内容から、タップされた付箋アイコンのペン識別情報と付箋種別情報とを、ありと判別したタップの変換座標をインデックスとして特定する。
そして、制御部１２４は、ステップＳ１４で取得したペン識別情報がステップＳ１５で特定したペン識別情報と一致しているか否かを判別する（ステップＳ１６）。
ここで、ステップＳ１４で取得したペン識別情報は、貼り付けられた付箋アイコンをタップした電子ペンを識別するものであり、ステップＳ１５で特定されたペン識別情報は、その付箋アイコンの貼り付け操作を指示した電子ペンを識別するものである。したがって、ステップＳ１６では、付箋アイコンをタップした電子ペンの識別情報がその付箋アイコンの貼り付け操作をした電子ペンの識別情報に一致しているか否かが判別されることになる。
【００３２】
一致していれば、制御部１２４は、ステップＳ１７において座標管理テーブル１８６の記録内容から特定した付箋種別情報を取得し、ステップＳ１８において、この付箋種別情報に対応するメッセージを管理テーブル保存部に保存された付箋管理テーブルから読み出す。
そして、制御部１２４は、ステップＳ１９において、タップされた付箋アイコンに対して、読み出したメッセージを例えばポップアップ表示するように、表示体制御部２２に指示をする。これにより例えば図１２（ａ）に示されるような表示が表示体２４においてなされる。なお、この表示は、付箋種別情報「１」に対応する付箋アイコンＰaが電子ペン５０ａによって電子的に貼り付けられていた場合に、当該付箋アイコンＰaを電子ペン５０ａによってタップしたときの例であり、付箋種別情報「１」に対応する「必ず、確認して下さい」というメッセージ１１０が表示されることを示している。
【００３３】
一方、ステップＳ１６において一致していないと判別したとき、制御部１２４は、ステップＳ２０において座標管理テーブル１８６の記録内容から特定したペン識別情報を用いた警告メッセージをポップアップ表示するように、表示体制御部２２に指示をする。これにより例えば図１２（ｂ）に示されるような表示が表示体２４においてなされる。なお、この表示は、付箋アイコンＰaが電子ペン５０ａによって電子的に貼り付けられていた場合に、当該付箋アイコンＰaを電子ペン５０ｂによってタップしたときに、電子ペン５０ｂではなく、貼り付けた元の電子ペン５０ａを使用すべき旨の警告メッセージ１１２の例である。
なお、制御部１２４は、ステップＳ１９またはＳ２０の終了後、次のタップに備えて処理手順をステップＳ１に戻す。
【００３４】
このように、ステップＳ１〜Ｓ３、Ｓ１２〜Ｓ１９では、貼り付けられた付箋アイコンがタップされたときに、そのタップした電子ペンの識別情報が、過去において当該付箋アイコンの貼り付けを指示した電子ペンの識別情報であるか否かを判別する処理が実行される。このため、電子文書が複数グループにわたって共用される場合において、一のグループの電子ペンによって付箋アイコンがタップされたときに、その付箋アイコンは、同じグループの電子ペンによって貼り付けられたものであるか、それとも別のグループの電子ペンによって貼り付けられたものであるか、を区別することができる。
【００３５】
特に、一のグループの電子ペンによって付箋アイコンがタップされた場合に、その付箋アイコンが別のグループの電子ペンによって貼り付けられたものであるとき、図１２（ｂ）に示されるような警告メッセージが表示される。このため、付箋アイコンの意味を誤解しないで済むだけでなく、その付箋アイコンが他のグループメンバーにメッセージを知らせるために貼り付けられたものであって、自己とは無関係であることを確認することが可能となる。
【００３６】
一のグループの電子ペンによって付箋アイコンがタップされた場合に、その付箋アイコンが同じグループの電子ペンによって貼り付けられたものであるとき、図１２（ａ）に示されるように、その付箋アイコンに関連付けられたメッセージが表示される。このため、そのグループにおいて付箋アイコンの意味するところを、正しく共有することが可能となる。
【００３７】
なお、上述した実施形態では、電子ペン５０ａ、５０ｂを用いる例を示したが、３種類以上の電子ペンを、ペン識別情報で区別して用いても良いのはもちろんである。３種類以上の電子ペンを用いる場合には、電子ペンの種類毎に図３（ａ）や図３（ｂ）に示されるような付箋管理テーブルが、電子ペンに記憶される。
また、電子ペンの付箋管理テーブル５９では、メッセージを、アイコンテーブル１８４と同じ付箋種別情報「１」〜「３」に関連付けて記憶したが、アイコンテーブル１８４における付箋種別情報の一部、例えば付箋種別情報「１」および「３」のみに関連付けて記憶するようにしても良い。
さらに、電子ペンに、複数の付箋管理テーブルを記憶させておくとともに、いずれか１つの付箋管理テーブルをスイッチのような切り替え機構によって選択する構成としても良い。この構成における識別情報には、電子ペンを識別するための情報という意味がもはや存在せず、選択された付箋管理テーブルを識別するための情報という意味だけを有することになる。
【００３８】
実施形態では、付箋アイコンをタップした電子ペンが、付箋アイコンを貼り付けた電子ペンと異なる場合（ステップＳ１６の判別結果が「Ｎｏ」である場合）に、図１２（ｂ）に示されるように、付箋アイコンを貼り付けた電子ペンを明示して、その電子ペンを使用すべき旨の警告メッセージを表示させた。ただし、セキュリティの確保という観点からすると、正当でない電子ペンによって付箋アイコンがタップされたときに、貼り付けた正当の電子ペンの情報を明示することが望ましくない場合も考えられる。このため、単に貼り付けた電子ペンと異なる旨の警告メッセージを表示させるだけでも良い。
【符号の説明】
【００３９】
１…情報端末装置、１０…端末本体、１２…ＣＰＵ、２０…端末通信部、２４…表示体、２８…タブレット、５０…電子ペン、５９…付箋管理テーブル、１２４…制御部、１８２…管理テーブル保存部、１８４…アイコンテーブル、１８６…座標管理テーブル
【図１】
2011028621.tif 000003
【図２】
2011028621.tif 000004
【図３】
2011028621.tif 000005
【図４】
2011028621.tif 000006
【図５】
2011028621.tif 000007
【図６】
2011028621.tif 000008
【図７】
2011028621.tif 000009
【図８】
2011028621.tif 000010
【図９】
2011028621.tif 000011
【図１０】
2011028621.tif 000012
【図１１】
2011028621.tif 000013
【図１２】
2011028621.tif 000014